(57)【要約】【課題】  光情報記録装置において、発光指令信号に対して受光信号に遅延や遅延のバラツキがあっても、正確に所定の制御を行うことである。【解決手段】  発光指令信号Ｗｄａｔａに基づいたＬＤ１３からの出射光を情報記録媒体２へ照射して情報の記録を行い、情報記録媒体２からの反射光ＰＲを受光して生成される受光信号Ｖａをサンプル制御信号Ｓｍｐ１に基づいて所定期間サンプリングし、そのサンプリングした信号に従って所定の制御を行う光情報記録装置１に遅延調整部１８を設け、発光指令信号Ｗｄａｔａに対する受光信号Ｖａの遅延量に応じてサンプル制御信号Ｓｍｐ１を所定量遅延させるようにした。これにより、発光指令信号Ｗｄａｔａに対して受光信号Ｖａに遅延や遅延のバラツキがあっても、正確に所定の制御を行うことができる。【選択図】    図２
2005216354.tif 000002
【特許請求の範囲】
【請求項１】
発光指令信号に基づいた光源からの出射光を情報記録媒体へ照射して情報の記録を行い、前記情報記録媒体からの反射光を受光して生成される受光信号をサンプル制御信号に従って所定期間サンプリングし、そのサンプリングした信号に従って所定の制御を行う光情報記録装置において、
前記発光指令信号に対する前記受光信号の遅延量に応じて前記サンプル制御信号を所定量遅延させるようにしたことを特徴とする光情報記録装置。
【請求項２】
前記発光指令信号に対する前記受光信号の遅延量と前記サンプル制御信号の遅延量とがほぼ等しくなるように前記サンプル制御信号の遅延量を調整するようにしたことを特徴とする請求項１記載の光情報記録装置。
【請求項３】
前記発光指令信号に対する前記受光信号の遅延量が受光信号によって異なる場合、各々の受光信号の遅延量に相当する分だけ遅延させた複数の前記サンプル制御信号を生成するようにしたことを特徴とする請求項２記載の光情報記録装置。
【請求項４】
予め前記サンプル制御信号の遅延量を変化させながら、逐次前記受光信号のサンプリング期間の平均値を検出し、その検出結果に従って前記サンプル制御信号の遅延量を調整するようにしたことを特徴とする請求項２又は３記載の光情報記録装置。
【請求項５】
発光指令信号に基づいた光源からの出射光を情報記録媒体へ照射して情報の記録を行い、前記情報記録媒体からの反射光を受光して生成される受光信号を複数のサンプル制御信号に基づいて複数の異なる所定期間サンプリングし、そのサンプリングした複数の信号に従って所定の制御を行う光情報記録装置において、
前記発光指令信号に対する前記受光信号の遅延量に応じて複数の前記サンプル制御信号を所定量遅延させるようにしたことを特徴とする光情報記録装置。
【請求項６】
前記発光指令信号に対する前記受光信号の遅延量と前記サンプル制御信号の遅延量とがほぼ等しくなるように複数の前記サンプル制御信号の遅延量を調整するようにしたことを特徴とする請求項５記載の光情報記録装置。
【請求項７】
予め複数の前記サンプル制御信号のうちの一つの遅延量を変化させながら、逐次前記受光信号のサンプリング期間の平均値を検出し、その検出結果に従って前記サンプル制御信号の遅延量を調整し、その遅延量と同じだけ他の前記サンプル制御信号を遅延させるようにしたことを特徴とする請求項６記載の光情報記録装置。
【請求項８】
前記所定の制御として、フォーカスサーボ制御又はトラックサーボ制御を行うことを特徴とする請求項１ないし７のいずれか一記載の光情報記録装置。
【請求項９】
前記所定の制御として、前記情報記録媒体にプリフォーマットされたウォブルからウォブル信号を生成し、前記情報記録媒体の回転の制御を行うことを特徴とする請求項１ないし７のいずれか一記載の光情報記録装置。
【請求項１０】
前記所定の制御として、前記情報記録媒体の記録マークの形成状況を検出し、前記光源の出力パワーの制御を行うことを特徴とする請求項１ないし７のいずれか一記載の光情報記録装置。
【発明の詳細な説明】
【技術分野】
【０００１】
本発明は、光情報記録装置に関する。
【背景技術】
【０００２】
従来、光ディスク装置等の光情報記録装置においては、記録時のサーボ動作を安定させる方法として、光ディスクからの反射光の受光信号を光量が大きい書き込み期間と同期した期間ホールドし、その他の期間サンプルして、書き込み期間の信号をサーボ信号の生成には用いないようにした方法がある。これは記録時の光量変化によるサーボゲインの変化をなくし、サーボ動作を安定させることができる（例えば、特許文献１参照）。
【０００３】
また、通常、情報記録媒体には予め記録トラックが所定の周波数で蛇行したウォブルがフォーマットされており、光情報記録装置はそのウォブルを抽出して生成するウォブル信号に従って、情報記録媒体の回転制御やアドレス情報の検出及び記録クロックの生成を行っている。従来、このウォブル信号の生成にも、受光信号の安定した所定期間をサンプリングしてウォブル信号を生成しており、これによりウォブル信号のＣ／Ｎ比を向上させている（例えば、特許文献２参照）。
【０００４】
一方、一般に、例えばＣＤ−Ｒのような色素系追記型光ディスク（情報記録媒体）に情報を記録する際には、ＲＯＰＣ（Running Optimum Power Control）と呼ばれるＬＤ制御方法が採用されている。このＲＯＰＣは、光ディスクにデータの記録を行うとき、記録中の反射光の変化を検出しその検出信号に基づいて光源の出力を制御するというものである。これは、記録パワー照射中の情報記録媒体からの反射光量を検出することで、記録マークの形成状態を記録中に得ることができるため、記録中でのＬＤパワー変動やチルト、メディア感度ばらつき等による最適記録パワーのずれを補正するように制御しながら記録することができる（例えば、特許文献３参照）。
【０００５】
【特許文献１】特開平５−１２０７０４号公報
【特許文献２】特許第３２９２１８４号公報
【特許文献３】特公昭５７−６０６９６号公報
【発明の開示】
【発明が解決しようとする課題】
【０００６】
しかしながら、近年の高速記録化の要求に伴い、以下のような問題が生じている。図８は従来の光情報記録装置の主要部の構成図、図９は図８の各部信号の波形図の一例である。これら図面に基づいて問題点を説明する。
【０００７】
図８に示すように、光情報記録装置１０１は、コントローラ（図示せず）から供給される記録クロック信号ＷＣＫと記録データ信号Ｗｄａｔａとから光源であるＬＤ（レーザダイオード）１０２を変調し駆動する光源駆動部１０３と、ＬＤ１０２の出射光ＰＬを光ディスク等の情報記録媒体１０４に照射し情報の記録を行い、情報記録媒体１０４からの反射光ＰＲを受光部１０５で受光し受光信号変換部１０６で受光信号Ｖａ〜Ｖｄに変換するＰＵ（光ピックアップ装置）１０７と、記録データ信号Ｗｄａｔａに従い受光信号Ｖａ〜Ｖｄのサンプル／ホールドを指示するＳ／Ｈ信号Ｓｍｐを生成するＳ／Ｈ信号生成部１０８と、Ｓ／Ｈ信号Ｓｍｐに従い受光信号Ｖａ〜Ｖｄを所定期間だけサンプルして受光信号Ｓａ〜Ｓｄを生成するＳ／Ｈ部１０９と、サンプルした受光信号Ｓａ〜Ｓｄに従って情報記録媒体１０４の回転に伴う面振れやトラックの半径方向の振れ等の変動に対し常に所定の誤差内で光を照射するよう制御（フォーカスサーボ制御及びトラックサーボ制御）を行うサーボ信号演算処理を実行するサーボ信号演算処理部１１０とから構成される。
【０００８】
ここで、受光部１０５は図示するように四分割受光素子であり、各素子ａ〜ｄに対応して変換した受光信号をそれぞれＶａ〜Ｖｄとする。また、サーボ信号演算処理部１１０では、例えばフォーカスサーボ制御がいわゆる非点収差法で行われる場合には、ＦＥ＝（Ｓａ＋Ｓｄ）−（Ｓｂ＋Ｓｃ）となるフォーカスエラー信号ＦＥを生成し、これが所定範囲内になるようフォーカスサーボ制御を行っている。このフォーカスサーボ制御やトラックサーボ制御等のサーボ制御は公知であるので説明を省略する。
【０００９】
図９に示すように、（ａ）の記録データ信号Ｗｄａｔａに対し、（ｂ）の遅延記録データ信号ｄＷｄａｔａは光源駆動部１０３での信号処理時間ｎＴ分遅延した信号である（Ｔ：記録クロック信号ＷＣＫの周期）。（ｄ）の出射光ＰＬ−ｉは光源駆動部１０３で記録データＷｄａｔａに従って変調された光波形（照射光）であり、この照射光の情報記録媒体１０４での反射光が受光され、（ｅ）の受光信号Ｖａ−ｉが生成される（受光信号Ｖｂ〜Ｖｄも同様の波形となる）。一方、（ｆ）のＳ／Ｈ信号Ｓｍｐは遅延記録データ信号ｄＷｄａｔａを基準に生成され、図示するように受光信号Ｖａ−ｉの光波形のスペース期間（ｓ）のサンプルを指示するような信号を生成する（「Ｈ」：サンプル、「Ｌ」：ホールドとする）。これにより、（ｅ）の受光信号Ｖａ−ｉの（ｓ）の期間がサンプルされてＳａが生成され（図示せず）、これに基づきサーボ制御が行われる。
【００１０】
しかしながら、これらの波形は各部における信号遅延を無視した（あるいは従来のように無視できる記録速度での）信号波形例であり、記録速度が高速になると各部における信号遅延が無視できなくなり、各部信号波形は（ｇ）〜（ｈ）のようになる。（ｇ）の出射光ＰＬは光源駆動部１０３及びＬＤ１０２での遅延量ｄ１だけ遅延した光波形であり、（ｈ）の受光信号ＶａはＰＵ１０７での光路長による遅延ｄ２と受光部１０５及び受光信号変換部１０６での遅延量ｄ３を加算した分だけ遅延した信号である。これらの遅延量を考慮に入れず（ｆ）のＳ／Ｈ信号Ｓｍｐで（ｈ）の受信信号Ｖａをサンプルすると、所望のスペース期間をサンプルできず、これに基づきサーボ制御を行うと、サーボゲイン変動やサーボ信号のＳ／Ｎ比の悪化等が生じ、正確なサーボ制御ができなくなってしまう。すなわち、正確な記録ができなくなってしまう。これらの遅延量の合計は数ｎｓになることもあり、例えばＤＶＤ１６倍速記録時には１Ｔ＝約２．４ｎｓであり、これらの遅延量は無視できるものではない。また、これらの遅延量はデバイス毎にばらついてしまうため、装置毎に調整することができない。
【００１１】
一方、光情報記録装置におけるウォブル信号の生成でも、受光信号の安定した所定期間をサンプリングしてウォブル信号を生成しており、ウォブル信号のＣ／Ｎ比を向上させている（例えば、特許文献２参照）。しかしながら、前述と同様に、このウォブル信号生成にも高速記録化が進むにつれ、各部での信号遅延が無視できなくなっているため、所望の期間でサンプリングが行えなくなり、生成するウォブル信号のＣ／Ｎ比が悪化し、正確な回転制御やアドレス検出、記録クロック生成等ができない。また、これらの遅延量はデバイス毎にばらついてしまうため、装置毎に調整することができない。
【００１２】
また、ＲＯＰＣは、具体的には試し書きを行う際、反射光量変化を示す検出信号を書き込んだ記録パワーと対応づけて保持しておき、試し書き後再生信号の対称性等から最適パワーを算出すると同時にそれと対応づけられた反射光量変化を示す検出信号を制御目標値とし、逐次ＬＤ記録パワーを制御するというものである（例えば、特許文献３参照）。このとき、反射光量変化は図１０に示すようにして検出される。（ａ）の光ディスクに照射する光波形により、（ｂ）の記録マークが形成される。この時、反射光量を受光した受光信号は（ｃ）のようになる。つまり記録マークの形成によりディスクの反射率が低下し、受光信号はマークの後端部で低くなる。この時、例えば過剰な記録パワーで記録を行ったとすると、図１０の破線のように記録マークが膨張し、マークの後端部での受光信号は低下してしまう。よって、（ｄ）のサンプル信号により、マーク後端部での受光信号をサンプリングすると、この値Ｖｄｅｔが反射光量の変化を示すようになり、これによりＬＤの記録パワー制御を行えば、ＲＯＰＣ制御ができるようになる。
【００１３】
しかしながら、前述のように高速記録化が進むにつれ受光信号の遅延が無視できなくなると、所望の期間でサンプリングが行えなくなり、誤ったパワー制御がなされてしまい、ついては正確な記録ができなくなってしまう。また、これらの遅延量はデバイス毎にばらついてしまうため、装置毎に調整することができない。  
【００１４】
上述したいくつかの問題の他にも、発光指令信号に対して受光信号に遅延や遅延のバラツキがあると、適正な期間でのサンプリングができなくなり、誤った値を検出したり、検出結果のＳ／Ｎ比が悪化したりして、様々な問題が生じるおそれがある。
【００１５】
本発明はかかる問題に鑑みてなされたものであり、本発明の目的は、発光指令信号に対して受光信号に遅延や遅延のバラツキがあっても、正確にサーボ制御や回転制御、記録パワー制御等の所定の制御を行うことができる光情報記録装置を提供することである。
【課題を解決するための手段】
【００１６】
請求項１記載の発明は、発光指令信号に基づいた光源からの出射光を情報記録媒体へ照射して情報の記録を行い、前記情報記録媒体からの反射光を受光して生成される受光信号をサンプル制御信号に基づいて所定期間サンプリングし、そのサンプリングした信号に従って所定の制御を行う光情報記録装置において、前記発光指令信号に対する前記受光信号の遅延量に応じて前記サンプル制御信号を所定量遅延させるようにしたことを特徴とする。
【００１７】
請求項２記載の発明は、請求項１記載の光情報記録装置において、前記発光指令信号に対する前記受光信号の遅延量と前記サンプル制御信号の遅延量とがほぼ等しくなるように前記サンプル制御信号の遅延量を調整するようにしたことを特徴とする。
【００１８】
請求項３記載の発明は、請求項２記載の光情報記録装置において、前記発光指令信号に対する前記受光信号の遅延量が受光信号によって異なる場合、各々の受光信号の遅延量に相当する分だけ遅延させた複数の前記サンプル制御信号を生成するようにしたことを特徴とする。
【００１９】
請求項４記載の発明は、請求項２又は３記載の光情報記録装置において、予め前記サンプル制御信号の遅延量を変化させながら、逐次前記受光信号のサンプリング期間の平均値を検出し、その検出結果に従って前記サンプル制御信号の遅延量を調整するようにしたことを特徴とする。
【００２０】
請求項５記載の発明は、発光指令信号に基づいた光源からの出射光を情報記録媒体へ照射して情報の記録を行い、前記情報記録媒体からの反射光を受光して生成される受光信号を複数のサンプル制御信号に基づいて複数の異なる所定期間サンプリングし、そのサンプリングした複数の信号に従って所定の制御を行う光情報記録装置において、前記発光指令信号に対する前記受光信号の遅延量に応じて複数の前記サンプル制御信号を所定量遅延させるようにしたことを特徴とする。
【００２１】
請求項６記載の発明は、請求項５記載の光情報記録装置において、前記発光指令信号に対する前記受光信号の遅延量と前記サンプル制御信号の遅延量とがほぼ等しくなるように複数の前記サンプル制御信号の遅延量を調整するようにしたことを特徴とする。
【００２２】
請求項７記載の発明は、請求項６記載の光情報記録装置において、予め複数の前記サンプル制御信号のうちの一つの遅延量を変化させながら、逐次前記受光信号のサンプリング期間の平均値を検出し、その検出結果に従って前記サンプル制御信号の遅延量を調整し、その遅延量と同じだけ他の前記サンプル制御信号を遅延させるようにしたことを特徴とする。
【００２３】
請求項８記載の発明は、請求項１ないし７のいずれか一記載の光情報記録装置において、前記所定の制御として、フォーカスサーボ制御又はトラックサーボ制御を行うことを特徴とする。
【００２４】
請求項９記載の発明は、請求項１ないし７のいずれか一記載の光情報記録装置において、前記所定の制御として、前記情報記録媒体にプリフォーマットされたウォブルからウォブル信号を生成し、前記情報記録媒体の回転の制御を行うことを特徴とする。
【００２５】
請求項１０記載の発明は、請求項１ないし７のいずれか一記載の光情報記録装置において、前記所定の制御として、前記情報記録媒体の記録マークの形成状況を検出し、前記光源の出力パワーの制御を行うことを特徴とする。
【発明の効果】
【００２６】
請求項１記載の発明によれば、受光信号が遅延し、受光信号を適正な期間でサンプルできなくなってしまうような場合にも、サンプル制御信号を遅延調整して装置の遅延量と同等とすることができるので、高速記録時にも適正な期間でのサンプルが可能となり、種々の動作制御を精度良く行えるようになる。
【００２７】
請求項２記載の発明によれば、受光信号の遅延量が装置毎にばらつくような場合にもサンプル制御信号を自動的に遅延調整して受光信号の遅延量と同等とすることができるので、より高精度に制御ができるようになる。
【００２８】
請求項３記載の発明によれば、受光信号の遅延量が受光信号により異なっていても、各受光信号に対するサンプル制御信号を各々調整することができるので、種々の動作制御を精度良く行えるようになる。
【００２９】
請求項４記載の発明によれば、予めサンプル制御信号の遅延量を変化させながら、逐次受光信号のサンプリング期間の平均値を検出し、該検出結果に従って遅延量を調整することによって、請求項２又は３記載の発明の効果を簡便に得ることができる。
【００３０】
請求項５記載の発明によれば、請求項１記載の発明と同様な効果を奏する。
【００３１】
請求項６記載の発明によれば、複数のサンプル制御信号の遅延量を制御することによって、種々の動作制御を精度良く行えるようになる。
【００３２】
請求項７記載の発明によれば、請求項５記載の発明の効果に加え、遅延調整時間を短縮することができる。
【００３３】
請求項８記載の発明によれば、受光信号が遅延し、受光信号を適正な期間でサンプルできなくなってしまうような場合にも、サンプル制御信号を遅延調整して装置の遅延量と同等とすることができるので、高速記録時にも適正な期間でのサンプルが可能となり、精度が高いサーボ制御ができるようになる。
【００３４】
請求項９記載の発明によれば、受光信号が遅延し、受光信号を適正な期間でサンプルできなくなってしまうような場合にも、サンプル制御信号を遅延調整して装置の遅延量と同等とすることができるので、高速記録時にも適正な期間でのサンプルが可能となり、ウォブル信号のＳ／Ｎ比を向上させることができ、正確な回転制御、アドレス検出、精度の良い記録クロック生成が可能となる。
【００３５】
請求項１０記載の発明によれば、受光信号が遅延し、受光信号を適正な期間でサンプルできなくなってしまうような場合にも、サンプル制御信号を遅延調整して装置の遅延量と同等とすることができるので、高速記録時にも適正な期間でのサンプルが可能となり、正確な記録パワー制御ができるようになる。
【発明を実施するための最良の形態】
【００３６】
本発明の第一の実施の形態を図１なしい図４に基づいて説明する。図１は本実施の形態の光情報記録装置の概略構成を示す構成図、図２は本実施の形態の光情報記録装置の主要部を示す構成図、図３は図２の各部信号の一例を示す波形図である。
【００３７】
光情報記録装置１は、情報記録媒体２を回転駆動するためのスピンドルモータ３、ＰＵ（光ピックアップ装置）４、光源駆動部５、モータドライバ６、再生信号処理部７、サーボ信号演算処理部８、バッファＲＡＭ９、バッファマネージャ１０、インターフェース１１、ＣＰＵ１２ａ、ＲＯＭ１２ｂ及びＲＡＭ１２ｃ等を備えて構成されている。なお、図１中に示す矢印は代表的な信号や情報の流れを示すものであり、各ブロックの接続関係の全てを表すものではない。
【００３８】
ＰＵ４は、光源であるＬＤ（レーザダイオード）１３と、このＬＤ１３から出射される出射光ＰＬを情報記録媒体２の記録面に導くとともに記録面で反射された反射光ＰＲを所定の受光位置まで導く対物レンズ等を含む光学系（図示せず）、受光位置に配置されて反射光ＰＲを受光する受光部１４、及び、駆動系（フォーカシングアクチュエータ、トラッキングアクチュエータ、シークモータ等（何れも図示せず））等を含んで構成されている。受光部１４からは、受光量に応じた受光信号が再生信号処理部７に出力される。
【００３９】
サーボ信号演算処理部８では、フォーカスエラー信号ＦＥに基づいてＰＵ４のフォーカシングアクチュエータを制御する制御信号を生成するとともに、トラックエラー信号ＴＥに基づいてＰＵ４のトラッキングアクチュエータを制御する制御信号を生成する。これらの制御信号はサーボ信号演算処理部８からモータドライバ６に出力される。
【００４０】
モータドライバ６では、サーボ信号演算処理部８からの制御信号に基づいてＰＵ４のフォーカシングアクチュエータ及びトラッキングアクチュエータを駆動する。また、モータドライバ６では、ＣＰＵ１２ａの指示に基づいて、例えば、情報記録媒体２の線速度が一定となるようにスピンドルモータ３を制御する。さらに、モータドライバ６では、ＣＰＵ１２ａの指示に基づいて、ＰＵ４用のシークモータを駆動し、ＰＵ４を情報記録媒体２の目標トラックに向けて半径方向に移動させる。
【００４１】
インターフェース１１は、外部装置となるホストとの双方向の通信インターフェースであり、ＡＴＡＰＩ及びＳＣＳＩ等の標準インターフェースに準拠している。
【００４２】
ＣＰＵ１２ａは、ＲＯＭ１２ｂ、ＲＡＭ１２ｃと共に光情報記録装置１が備えるマイクロコンピュータ（コンピュータ）を構成している。記憶媒体としても機能するＲＯＭ１２ｂには、ＣＰＵ１２ａにより解読可能なコードで記述された制御プログラムを含むプログラムが格納されている。ＣＰＵ１２ａは、ＲＯＭ１２ｂに格納されているプログラムに従って上述の各部の動作を制御するとともに、制御に必要なデータ等を一時的にＲＡＭ１２ｃに保存する。なお、光情報記録装置１の電源が投入されると、ＲＯＭ１２ｂに格納されているプログラムは、ＣＰＵ１２ａのメインメモリ（図示せず）にロード（インストール）される。
【００４３】
次いで、光情報記録装置１の主要部の構成について詳しく説明すると、図２に示すように、光情報記録装置１は、コントローラ（図示せず）から供給される記録クロック信号ＷＣＫと記録データ信号Ｗｄａｔａとから光源であるＬＤ１３を変調し駆動する光源駆動部５と、ＬＤ１３の出射光ＰＬを情報記録媒体２に照射し情報の記録を行い、情報記録媒体２からの反射光ＰＲを受光部１４で受光し受光信号変換部１５で受光信号Ｖａ〜Ｖｄに変換するＰＵ４と、記録データ信号Ｗｄａｔａに従い受光信号Ｖａ〜Ｖｄのサンプル／ホールドを指示するサンプル制御信号であるＳ／Ｈ（サンプルホールド）信号Ｓｍｐ１を生成するＳ／Ｈ信号生成部１６と、Ｓ／Ｈ信号Ｓｍｐ１を所定量遅延させてＳ／Ｈ信号Ｓｍｐ２をＳ／Ｈ部１７に供給する遅延調整部１８と、Ｓ／Ｈ信号Ｓｍｐ２に従い受光信号Ｖａ〜Ｖｄを所定期間サンプルしてそれぞれ受光信号Ｓａ〜Ｓｄを生成するＳ／Ｈ部１７と、サンプルした受光信号Ｓａ〜Ｓｄに従って所定の制御、例えば情報記録媒体２の回転に伴う面振れやトラックの半径方向の振れ等の変動に対し常に所定の誤差内で光を照射するような制御（フォーカスサーボ制御及びトラックサーボ制御）を行うサーボ信号演算処理を実行するサーボ信号演算処理部８と、を備えている。
【００４４】
なお、Ｓ／Ｈ信号生成部１６、Ｓ／Ｈ部１７及び遅延調整部１８は再生信号処理部７（図１参照）に組み込まれている。また、遅延調整部１８が、Ｓ／Ｈ信号Ｓｍｐ１を所定量遅延させる遅延調整手段として機能する。ここでは、遅延調整部１８は、ＬＤ１３への発光指令信号に対する受光信号Ｖａ〜Ｖｄの遅延量に応じてＳ／Ｈ信号Ｓｍｐ１を所定量遅延させる。
【００４５】
ここで、受光部１４は図示するように四分割受光素子であり、各素子ａ〜ｄに対応して変換した受光信号をそれぞれＶａ〜Ｖｄとする。このとき、ゲイン調整やオフセット調整を行っても良い。また、フォーカスサーボ制御は非点収差法により、トラックサーボ制御はプッシュプル法により行うものとし、サーボ信号演算処理部８では、フォーカスエラー信号ＦＥ＝（Ｓａ＋Ｓｄ）−（Ｓｂ＋Ｓｃ）及びトラックエラー信号ＴＥ＝（Ｓａ＋Ｓｂ）−（Ｓｃ＋Ｓｄ）を生成し、これらのサーボエラー信号ＦＥ及びトラックエラー信号ＴＥが所定の誤差範囲内になるようにサーボ制御を行う。このようなサーボ信号演算処理部８は公知のものを用いればよく、本発明はサーボ演算処理方法に依るものではない。光情報記録装置１は、サーボ制御によって、例えば、ＬＤ１３から出射された出射光を情報記録媒体２上に集光する対物レンズ（図示せず）を移動させることで、光束を情報記録媒体２の記録面に収束させ、さらに、光束を情報記録媒体２のトラック上に正確に位置付ける。
【００４６】
図３に示すように、（ａ）の記録データ信号Ｗｄａｔａに対し、（ｂ）の遅延記録データ信号ｄＷｄａｔａ（光源駆動部５の内部信号であり、図２では図示せず）は光源駆動部５での信号処理時間ｎＴ分遅延した信号である（Ｔ：記録クロック信号ＷＣＫの周期）。（ｄ）の出射光ＰＬ−ｉは光源駆動部５で記録データＷｄａｔａに従って変調された光波形（照射光）であり、この照射光の情報記録媒体２での反射光が受光され、（ｅ）の受光信号Ｖａ−ｉが生成される（受光信号Ｖｂ〜Ｖｄも同様の波形となる）。ここで、（ｄ）及び（ｅ）の信号波形は各部での遅延量を無視した理想的な波形を例示している。
【００４７】
一方、（ｆ）のＳ／Ｈ信号Ｓｍｐ１は遅延記録データ信号ｄＷｄａｔａを基準に生成され、図示するように受光信号Ｖａ−ｉの光波形のスペース期間（ｓ）のサンプルを指示するような信号を生成する（「Ｈ」：サンプル、「Ｌ」：ホールドとする）。
【００４８】
（ｇ）は各部での信号遅延を考慮した場合の受光信号Ｖａであり、光源駆動部５及びＬＤ１３での遅延量ｄ１、ＰＵ７での光路長による遅延ｄ２及び受光部１４及び受光信号変換部１５での遅延量ｄ３を加算した分Δだけ遅延しているものとする。Ｖｂ〜Ｖｄについても同量の遅延が生じる。
【００４９】
また、（ｈ）のＳ／Ｈ信号Ｓｍｐ２は遅延調整部１８によりＳ／Ｈ信号Ｓｍｐ１を遅延量δだけ遅延させた信号であり、Ｓ／Ｈ信号生成部１６での遅延量をｄ５とすると、δ＝Δ−ｄ５となるようにδを調整すれば、遅延記録データｄＷｄａｔａに対する受光信号Ｖａ〜ＶｄとＳ／Ｈ信号Ｓｍｐ２の遅延量が等しくなり、Ｓ／Ｈ部１７にて所望の正確な期間サンプリングが行えるようになり、正確なサーボ制御ができるようになる。
【００５０】
次に、遅延調整部１８の詳細構成と遅延調整方法について説明する。
【００５１】
図２に示すように、遅延調整部１８は、Ｓ／Ｈ信号Ｓｍｐ１を遅延制御信号Ｄｌｙに従って所定量δ遅延させたＳｍｐ２信号を供給する遅延部２１と、Ｓ／Ｈ信号Ｓｍｐ２（Ｓ／Ｈ制御信号）がサンプルの期間（「Ｈ」の期間）の受光信号Ｖａの平均値（遅延検出信号Ｖｄｃ）を検出するための遅延検出部２２と、遅延検出部２２の出力する検出結果から遅延量δを制御する遅延制御部２３とから構成される。
【００５２】
また、より詳細に遅延検出部２２は、受光信号Ｖａと遅延検出信号Ｖｄｃとの差分に比例した電流を供給する増幅器３１と、Ｓ／Ｈ信号Ｓｍｐ２が「Ｈ」の期間オンとなり「Ｌ」の期間オフとなるスイッチ３２と、コンデンサ３３とからなっている。このため、スイッチ３２がオンの期間は増幅器３１の出力電流によりコンデンサ３３に充放電され、オフの期間はその値をホールドしておくことにより、Ｓ／Ｈ信号Ｓｍｐ２が「Ｈ」の期間の受光信号Ｖａの平均値を検出できる。
【００５３】
図４は遅延調整方法を説明するための信号波形図である。遅延調整は電源投入時や記録や再生動作を行っていないアイドル時等に行うものとし、通常動作時には遅延調整時に求めた遅延量を保持しておく。
【００５４】
遅延調整を簡便に行うため、遅延調整時には所定データの繰返しとなる記録データ信号Ｗｄａｔａとし、発光波形も記録データとほぼ同一となるようにする（遅延を無視して図示している）。また、（ｅ）のＳ／Ｈ信号Ｓｍｐ１は遅延記録データ信号ｄＷｄａｔａの反転信号となるようにする。すると、（ｆ）の受光信号Ｖａは遅延量ΔだけｄＷｄａｔａから遅れ検出される。そこで、遅延制御部２３により遅延量δを変化させていくと、（ｇ）のＳ／Ｈ信号Ｓｍｐ２は、δ＝Δ，δ＜Δ，δ＞Δのそれぞれの場合で、図４（ａ）〜（ｃ）のようになり、遅延検出信号Ｖｄｃはそれぞれ図５に示したようになる。図５は遅延量δと遅延検出信号Ｖｄｃとの関係の一例を示す説明図である。従って、遅延検出信号Ｖｄｃがほぼ最小となるように遅延量δを調整すれば、δ≒Δとなるように調整することができる。
【００５５】
このようにすれば、装置の各部で信号が遅延し、受光信号を適正な期間でサンプルできなくなってしまうような場合にも、さらにはその遅延量が装置毎にばらつくような場合にもＳ／Ｈ信号を自動的に遅延調整して装置の遅延量と同等とすることができるので、高速記録時にも適正な期間でのサンプルが可能となり、精度が高いサーボ制御ができるようになる。
【００５６】
なお、遅延調整時のＳ／Ｈ信号Ｓｍｐ１は遅延記録データ信号ｄＷｄａｔａと同一波形の信号としても良い。その場合は遅延検出信号Ｖｄｃがほぼ最大となる遅延量δが最適値となる。
【００５７】
本発明の第二の実施の形態を図６に基づいて説明する。図６は本実施の形態の光情報記録装置の主要部を示す構成図である。本実施の光情報記録装置は基本的に第一の実施の形態の光情報記録装置の構成と同じある（他の実施の形態も同様とする）。図１及び図２と同一符号のブロックは前述と同様の動作・機能を果たすので詳細な説明は省略する。なお、ここでは、情報記録媒体２は、ウォブルがプリフォーマットされている媒体である。
【００５８】
ウォブル信号演算処理部４１は、Ｓ／Ｈ部１７により所定期間サンプルされた受光信号Ｓａ〜Ｓｄにより、プッシュプル信号ＰＰ＝（Ｓａ＋Ｓｂ）−（Ｓｃ＋Ｓｄ）を生成し、このプッシュプル信号ＰＰからウォブル周波数成分を抽出し、ウォブル信号ＷＢＬを生成する。このとき、前述と同様にしてＳ／Ｈ部１７へのＳ／Ｈ信号Ｓｍｐ２は遅延調整部１８により遅延量δが適正に調整されている。
【００５９】
このようにすれば、装置の各部で信号が遅延し、受光信号を適正な期間でサンプルできなくなってしまうような場合にも、さらにはその遅延量が装置毎にばらつくような場合にもＳ／Ｈ信号を自動的に遅延調整して装置の遅延量と同等とすることができるので、高速記録時にも適正な期間でサンプリングが可能となり、ウォブル信号ＷＢＬのＳ／Ｎ比の劣化を防止することができる。よって正確な回転制御、アドレス検出、精度が高い記録クロック生成が可能となる。
【００６０】
本発明の第三の実施の形態を図７及び図８に基づいて説明する。図７は本実施の形態の光情報記録装置の主要部を示す構成図、図８は図７の各部信号の一例を示す波形図である。なお、図１及び図２と同一符号のブロックは前述と同様の動作・機能を果たすので詳細な説明は省略する。
【００６１】
加算アンプ５１は、受光信号Ｖａ〜Ｖｄを加算して受光再生信号ＲＦを生成するものである、Ｓ／Ｈ部５２は受光再生信号ＲＦをＳ／Ｈ信号Ｓｍｐ２に従ってサンプルホールドし、ＲＯＰＣ検出信Ｓｒｆを出力する。この時、前述と同様にしてＳ／Ｈ信号Ｓｍｐ２は遅延調整部１８により遅延量δが適正に調整されている。ＬＤパワー制御部５３は、ＲＯＰＣ検出信Ｓｒｆに従い記録パワー制御信号Ｓｐｗｒを生成し、光源駆動部５に供給する。光源駆動部５ではこの記録パワー制御信号Ｓｐｗｒに従って記録パワーを設定する。
【００６２】
図８に示すように、光源駆動部５では、遅延記録データ信号ｄＷｄａｔａに対し、（ｄ）のような光波形でＬＤ１３を変調する。これにより、受光再生信号ＲＦは（ｅ）のようになり、記録パワーに応じて後端部のレベルが変化する。ここで、（ｄ）及び（ｅ）は遅延を無視して図示している。（ｆ）のＳｍｐ１は、この受光再生信号ＲＦの後端部でのレベルを検出するためのＳ／Ｈ信号であり、Ｓ／Ｈ信号生成部１６で生成する。ここでは、検出の容易な所定マーク長以上のマークで検出するようにＳ／Ｈ信号Ｓｍｐ１を生成している。（ｇ）は各部での信号遅延を考慮した場合の受光再生信号ＲＦであり、光源駆動部５及びＬＤ１３での遅延量ｄ１、ＰＵ７での光路長による遅延ｄ２、受光部１４及び受光信号変換部１５での遅延量ｄ３及び加算アンプ５１での遅延量ｄ４を加算した分Δだけ遅延しているものとする。
【００６３】
また、（ｈ）のＳｍｐ２は遅延調整部１８によりＳｍｐ１を遅延量δだけ遅延させた信号であり、Ｓ／Ｈ信号生成部１６での遅延量をｄ５とすると、δ＝Δ−ｄ５となるようにδを調整すれば、遅延記録データｄＷｄａｔａに対する受光再生信号ＲＦとＳ／Ｈ信号Ｓｍｐ２の遅延量が等しくなり、Ｓ／Ｈ部５２にて所望の正確な期間サンプリングが行えるようになり、正確な記録パワー制御ができるようになる。
【００６４】
上述した実施形態の他にも、受光信号を所定期間サンプリングして装置の制御を行う場合には、同様にしてＳ／Ｈ信号（サンプルホールド信号）の遅延調整を行うことにより、本発明の効果が得られる。また、受光信号を複数の所定期間サンプリングして装置の制御を行う場合には、１つのＳ／Ｈ信号に対して上述の遅延調整を行い、他のＳ／Ｈ信号は同量の遅延をさせるようにすれば良い。このようにすれば、遅延調整時間を短縮することができる。また、複数の受光信号の遅延量が異なる場合には、各々遅延調整を行うようにすれば、より高精度な制御を実現することができる。
【図面の簡単な説明】
【００６５】
【図１】本発明の第一の実施の形態の光情報記録装置の概略構成を示す構成図である。
【図２】本発明の第一の実施の形態の光情報記録装置の主要部を示す構成図である。
【図３】図２の各部信号の一例を示す波形図である。
【図４】遅延調整方法を説明するための信号波形図である。
【図５】遅延量と遅延検出信号との関係の一例を示す説明図である。
【図６】本発明の第二の実施の形態の光情報記録装置の主要部を示す構成図である。
【図７】本発明の第三の実施の形態の光情報記録装置の主要部を示す構成図である。
【図８】図７の各部信号の一例を示す波形図である。
【図９】従来の光情報記録装置の主要部を示す構成図である。
【図１０】図９の各部信号の一例を示す波形図である。
【図１１】反射光量変化を説明するための説明図である。
【符号の説明】
【００６６】
１        光情報記録装置
２        情報記録媒体
１３      光源（ＬＤ）
【図１】
2005216354.tif 000003
【図２】
2005216354.tif 000004
【図３】
2005216354.tif 000005
【図４】
2005216354.tif 000006
【図５】
2005216354.tif 000007
【図６】
2005216354.tif 000008
【図７】
2005216354.tif 000009
【図８】
2005216354.tif 000010
【図９】
2005216354.tif 000011
【図１０】
2005216354.tif 000012
【図１１】
2005216354.tif 000013